(57)【要約】【課題】半導体デバイスの製造工程、特にシステムＬＳＩ等の多品種小量生産において、露光条件出し作業が、デバイス製造におけるＴＡＴの増加、露光装置の稼動効率低下の原因となる。【解決手段】製品毎／露光層毎／露光装置毎に異なる、デバイス製品の露光におけるフォーカスオフセットを、（１）露光装置の投影光学系の焦点位置とフォーカスセンサのオフセット（装置起因オフセット）（２）デバイス製品の露光層のパターン条件と、露光装置の投影光学系の収差とから決まるフォーカスオフセット（パターン起因オフセット）（３）デバイス製品の露光層に対応するプロセスウエハによって生じる、該露光装置のフォーカスオフセット（プロセス起因オフセット）として原因別にそれぞれ算出し、それらを元に求められた製品露光時の最適フォーカス位置を露光装置のレシピに設定して、露光を実施する。【選択図】　図１
2004022848.tif 000002
【特許請求の範囲】
【請求項１】
露光装置により、基板上に所定の回路パターンを形成する手段を含む半導体デバイスの製造システムにおいて、
露光装置の投影光学系の焦点位置とフォーカスセンサのオフセットを保持する第１の手段と、各デバイス製品の各露光層のパターン条件のデータを保持する第２の手段と、各露光装置の投影光学系の収差データを保持する第３の手段と、前記第２、第３の手段により保持されたデータを選択的に読み込む第４の手段と、第４の手段によって読み出されたデータを元に、計算により最適フォーカス位置を求める第５の手段と、露光対象である該デバイス製品の該露光層に対応するプロセスウエハによって生じる、該露光装置のフォーカスオフセットを保持する第６の手段と、前記第４の手段により得られた計算結果と、前記第５、第６の手段により保持されたデータを選択的に読み込む第７の手段と、前記第７の手段により読み込まれたデータを元に、露光対象である該デバイス製品の該露光層を、該露光装置で露光を行う際の最適フォーカス位置を算出する第８の手段と、前記第８の手段によって得られた結果から求められた最適フォーカス位置を該露光装置のレシピに設定して、該デバイス製品の該露光層を該露光装置で露光を行う第９の手段を有することを特徴とする半導体デバイスの製造システム。
【請求項２】
請求項１に記載の半導体デバイスの製造システムにおいて、前記第２の手段に保持される投影光学系の収差データはＺｅｒｎｉｋｅ係数によって表現されていることを特徴とする半導体デバイスの製造システム。
【請求項３】
露光装置により、基板上に所定の回路パターンを形成するステップを含む半導体デバイスの製造方法において、
露光装置の投影光学系の焦点位置とフォーカスセンサのオフセットを算出する第１のステップと、各デバイス製品の各露光層のパターン条件のデータを保持する第２のステップと、各露光装置の投影光学系の収差データを保持する第３のステップと、前記第２、第３のステップにより保持されたデータを選択的に読み込む第４のステップと、第４のステップによって読み出されたデータを元に、計算により最適フォーカス位置を求める第５のステップと、露光対象である該デバイス製品の該露光層に対応するプロセスウエハによって生じる、該露光装置のフォーカスオフセットを算出する第６のステップと、前記第４のステップにより得られた計算結果と、前記第５、第６のステップにより算出されたデータを選択的に読み込む第７のステップと、前記第７のステップにより読み込まれたデータを元に、露光対象である該デバイス製品の該露光層を、該露光装置で露光を行う際の最適フォーカス位置を算出する第８のステップと、前記第８のステップによって得られた結果から求められた最適フォーカス位置を該露光装置のレシピに設定して、該デバイス製品の該露光層を該露光装置で露光を行う第９のステップを有することを特徴とする半導体デバイスの製造方法。
【請求項４】
請求項３に記載の半導体デバイスの製造方法において、前記第２の手段に保持される投影光学系の収差データはＺｅｒｎｉｋｅ係数によって表現されていることを特徴とする半導体デバイスの製造方法。
【発明の詳細な説明】
【０００１】
【発明の属する技術分野】
本発明は、半導体デバイスの製造方法、および装置に関し、特に露光工程においてデバイス製品／露光層／露光装置毎に異なる露光条件設定の効率を向上するための技術に関するものである。
【０００２】
【従来の技術】
近年の半導体デバイスの高集積化、高機能化に伴い、これを実現するためのプロセスには更なる高精度化が求められている。その一方、半導体デバイスの製造コストの低減も重要な課題となっている。
【０００３】
半導体デバイスの製造では、露光用レチクル（以下、レチクルと省略）に形成されたパターンを、フォトレジストが塗布された半導体ウエハ（以下、ウエハと省略）上に、投影露光装置を用いて転写することにより、半導体デバイスの回路パターンが形成される。半導体デバイスは複数層の回路パターンにより構成され、ある層の回路パターンは、それより下層の回路パターンに位置合わせ（アライメント）して露光が行われる。
【０００４】
この露光工程では、回路パターンを所定の寸法で形成するために、露光装置の露光条件（露光量ならびに焦点位置（フォーカス））が制御される。露光条件は、製品／露光層毎に異なる回路パターン、使用するレジストなどに応じて異なるため、その各々に応じて設定する必要がある。また、半導体デバイスの生産ラインには、通常、複数の露光装置が設置されるが、これらには各機毎にレンズ収差など精度に個体差（機差）が存在する。このため、異なる装置で着工する場合、それぞれの装置で所定のパターン寸法を得られるようにするために、同一製品／同一露光層であっても、各々の装置に対してそれぞれ異なる露光条件が設定される。
【０００５】
これら露光条件を求めるために、一般には製品の製造に先立って製品／露光層／露光装置毎に条件出し作業を行う方法が取られている。条件出し作業とは、図１３に示すように、対象とする製品／露光層の実際の製品レチクルを用いて、露光装置の露光量およびフォーカスを段階的に変化させて、取り得る露光条件を網羅する様に露光を行い（１３０１）、各々の条件で形成された回路パターンの寸法、および形状を走査型電子顕微鏡（ＳＥＭ）などにより測定／観察して（１３０２）、所望のパターンを得られるような露光条件を求める（１３０３）作業である。そして、求められた露光条件は各装置における対象とする製品／露光層に対するレシピの中に設定される（１３０４）。
【０００６】
【発明が解決しようとする課題】
しかし、新製品の着工毎、また新しい装置での着工毎に、実際の製品レチクルを用いて上記の条件出し作業を行うことは、半導体デバイス製造におけるＴＡＴ（Ｔｕｒｎ　Ａｒｏｕｎｄ　Ｔｉｍｅ）の増大をもたらし、また半導体デバイスの生産ラインでの露光装置の稼動効率を低下させ、製造コストを増大させる要因となる。特に近年、半導体デバイスの生産は、ＤＲＡＭを中心とした少品種大量生産から、システムＬＳＩ中心の多品種小量生産に移行しつつあり、上記問題がより深刻化している。
【０００７】
また、特にフォーカスに関しては、Ｉｎｔｅｒｎａｔｉｏｎａｌ　Ｔｅｃｏｎｏｌｏｇｙ　Ｒｏａｄｍａｐ　ｆｏｒ　Ｓｅｍｉｃｏｎｄｕｃｔｏｒｓに等に示される様に（表１）、微細化の進展と共に、その裕度は小さくなる一方である。
【０００８】
【表１】
2004022848.tif 000003
【０００９】
現状の条件出し手法でこれに対応するためには、変化させる露光条件のステップをより細かくする必要があり、更なる作業量増大が見こまれる。
【００１０】
【課題を解決するための手段】
上記課題を解決するために、本発明における半導体デバイスの製造方法は、製品露光におけるフォーカスオフセットを、原因別に分解して予め求めておくことでフォーカス条件出しの作業を低減するものである。具体的には、（１）露光装置の投影光学系の焦点位置とフォーカスセンサのオフセット（装置起因オフセット）（２）デバイス製品の露光層のパターン条件と、露光装置の投影光学系の収差とから決まるフォーカスオフセット（パターン起因オフセット）（３）デバイス製品の露光層に対応するプロセスウエハによって生じる、該露光装置のフォーカスオフセット（プロセス起因オフセット）をそれぞれ算出し、それらを元に求められた製品露光時の最適フォーカス位置を露光装置のレシピに設定して、露光を実施するものである。
【００１１】
これにより、デバイス製品毎／露光層毎／露光装置毎に実際の製品レチクルを用いて行う条件出し作業が不要となり、半導体デバイス製造におけるＴＡＴ短縮、ならびに半導体デバイス製造ラインでの露光装置の稼動効率を向上を図ることが可能となる。
【００１２】
【発明の実施の形態】
本発明に係る、半導体デバイスの製造システムおよび半導体デバイスの製造方法の実施の形態について、以下図面を用いて説明する。
【００１３】
図１は本発明における第１の実施例である半導体デバイスの製造システムに関わる実施例を説明する図である。
【００１４】
図中で、１００はフォーカス条件算出ホストであり、各種の処理を実行する。その機能の詳細に付いては後に説明する。
【００１５】
１１０は露光装置自身が持つフォーカスオフセットのデータを保持する、装置オフセットデータサーバであり、装置オフセットデータベース１１１に保持されたデータをネットワーク００１を通して他の装置から読み出し／書き込みが出来る仕組みとなっている。
【００１６】
ここで、装置オフセットについて説明する。装置オフセットとは露光装置のフォーカスセンサのゼロ点と、投影光学系の焦点位置の差であり、露光装置の号機ごとに異なる値である。図１４にはフォーカスセンサの原理を示す。光源１４０１により、ウエハ１４１０の表面に対して斜め方向から光を入射し、ウエハ面で反射した光を受光素子１４０２で検出する。このときウエハの高さに応じて反射光の光路が移動し、受光素子面上での受光位置が変化する。例えば図に示した様にウエハの高さが１４１０から１４１１へ変位したとき（変位量：１４３０）反射光の光路は１４２０から１４２１へと変位し、受光素子上でのスポット位置も変位（変位量：１４３１）する。これによりウエハの高さ（露光対象の位置）が検出される。
【００１７】
露光時のフォーカス位置はウエハを載置したステージ（１４３０）をＺ方向に移動することで制御されるが、この時のウエハの位置はフォーカスセンサで検出される。但し、フォーカスセンサは露光装置の投影光学系とは独立して存在するため、図１５に示す様に、露光装置の投影光学系（１５０１）の焦点位置（１５０２）と、フォーカスセンサのゼロ点（１４４０）でのウエハ位置の間には、ある程度のオフセット（１５００）が存在する。このオフセットが装置オフセットである。
【００１８】
装置オフセットの評価は、フォーカスオフセット評価用の露光パターンをベアウエハに露光することで行われる。これを図２、３で説明する。評価用のパターンは図２に示すようなくさびパターン２０１である、これをフォーカス（ステージのＺ位置）を変化させて複数ショット露光し、パターン間隔２０２をＳＥＭなどで測定する。測定結果の例を図３に示す。図３の横軸は露光装置のＺステージの位置（フォーカスセンサの読み値）であり、縦軸はそれぞれのフォーカス条件で露光した際のパターン間隔である。測定結果は３０１であり、パターン間隔が最小となる位置が露光装置の投影光学系の焦点位置である。フォーカスセンサのゼロ点（横軸のゼロ点）からの差３０２が装置オフセットである。装置オフセットは露光装置の各号機ごとに、また装置の経時変化を把握するために定期的に測定される。それら測定結果が図１の装置オフセットデータベース１１１に保持される。
【００１９】
図１で１２０は製品パターン条件データサーバであり、製品パターン条件データベース１２１に保持された製品別／露光層別のパターン情報を、ネットワーク００１を通して他の装置から読み出し／書き込みが出来る仕組みとなっている。ここでパターン情報の内容について図４を用いて説明する。半導体製品はチップエリア４００の内部の複数の機能ブロック（４０１〜４０５）から成り、その各々で回路パターンは異なる。また半導体製品は複数の露光層（４１１〜４１５）により作成され、同じ機能ブロックであっても露光層が異なれば回路パターンは異なる。パターン情報は例えば次に述べる２つの内容で表すことが出来る。一つは機能ブロックがチップエリアのどの位置を占めるかの情報である。これは、機能ブロックの左上端の座標データ（４２１）とｘ方向幅データ（４２２）、ｙ方向幅データ（４２３）を各機能ブロック毎に定めることで表される。もう一つは各機能ブロックの内部のパターンの情報であり、これはパターンの形状（例えば、ラインパターンかホールパターンか）、パターンピッチ：Ｐ（４１１）、パターン線幅：Ｗ（４１２）、で定められる。図４はラインパターンの場合のパターン情報の例について示している。
【００２０】
また、図１で１３０は装置収差情報データサーバであり、装置収差情報データサーバデータベース１３１に保持された装置ごとの投影光学系の収差情報を、ネットワーク００１を通して他の装置から読み出し／書き込みが出来る仕組みとなっている。
【００２１】
ここで、露光装置のレンズ収差に関して図５、６を用いて説明する。図５は露光装置の構成を示し、５０１は照明光源、５０２は照明光学系、５０３はレチクル、５０４は露光光学系、５０５は露光対象のレジストを塗布した半導体ウエハ、５０６はウエハを搭載するステージである。照明光源５０１から発生した露光光は照明光学系を５０２を通してレチクル５０３に到達する。このとき照明光学系の中の開口絞り５０２１により照明のコヒーレンスファクタσ、あるいは変形照明の種類が制御される。レチクルは石英ガラス等の透明基板の上に、クロム等の遮光膜により回路パターンが形成されたものである。レチクルを通過した露光光は、投影光学系５０４を通して半導体ウエハ５０５に到達する。このとき投影光学系の中の開口絞り５０４１により露光時のＮＡ（Ｎｕｍｅｒｉｃａｌ　Ａｐａｔｕｒｅ：開口数）が制御される。ウエハに到達した光によりウエハに塗布されたレジストが感光し、回路パターンが転写される。
【００２２】
投影光学系５０４には、誤差（投影光学系の波面収差）があり、これは装置によって個体差（機差）があることから、同じ製品の同じ露光層（同じパターン）を露光する場合であっても、露光時のフォーカス条件は装置毎に異なる。投影光学系５０４を透過した露光光の波面は理想的には５０６に示すように球面になるべきものであるが、実際の投影光学系には硝材の不均一性や、加工誤差、組み立て誤差など各種の誤差があり、これを皆無にすることは出来ないため、波面には５０７に示すような乱れが発生する。理想的な球面波と実際の波面との差は波面収差と呼ばれる。投影光学系の波面収差は、例えばＵＳ−ＰＡＴＥＮＴ：Ｎｏ．５、８２８、４５５に示される様な方法で測定することが出来る。前記の技術はハルトマンテストの技術を応用したものであり、その内容の説明はここでは省略するが、例えば”Ｏｐｔｉｃａｌ　Ｓｈｏｐ　Ｔｅｓｔｉｎｇ（Ｄ．Ｍａｌａｃａｒａ編、Ｊｏｈｎ　Ｗｉｌｅｙ　ａｎｄ　Ｓｏｎｓ（米））”などの文献に技術の詳細が示されている。波面収差は不定形であるため、一般には収差関数へ展開し、成分毎の大きさをもって定量的に表現される。図６には波面収差の収差関数への展開について説明する。図６の６００は波面収差の実測例である。波面収差の収差関数への展開に関する詳細はここでは省略するが、詳細については、例えば”光学の原理（Ｐｒｉｎｃｉｐｌｅ　ｏｆ　Ｏｐｔｉｃｓ）（Ｍ．Ｂｏｒｎ、Ｅ．Ｗｏｌｆ共著、東海大学出版会）などの文献に詳しい。図６では、波面収差を収差関数へ展開したときの主な成分について示す。これらの各成分はそれぞれの数式（６０１〜６０８）で表現されるものであり、その形状は６１１〜６１８で示されるものである。各成分を示す数式において、係数：ａｎは該当する成分の大きさの程度を示すものであり、Ｚｅｒｎｉｋｅ係数と呼ばれる。波面収差はこのＺｅｒｎｉｋｅ係数の値で定量的に表現することが可能となる。
【００２３】
このような形で、各装置ごとに収差情報は得られるわけであるが、図１の投影光学系収差データベース１３１に保持されるデータの具体的な例について、図７で説明する。７１０は露光装置の露光フィールド、７１１〜７１９は露光フィールド内で波面収差を測定した点である。投影光学系の波面収差は、フィールド内の各点で異なる値となるため、複数点での測定が必要である。図７に示した例では３×３の９点を測定する例を示したが、測定点数はもちろんこれよりも多くても、少なくても良い。７２０は１測定点での収差データであり、横軸にはＺｅｒｎｉｋｅ係数の項、縦軸は各係数の大きさを示す。このデータは露光エリア内の各々の測定点に対して保持されるものであり、また露光装置の各々について保持されるものである。
【００２４】
図１でパターンオフセット算出サーバ１５０は、上記に説明した製品パターン情報データベース１２１に保持された製品パターン情報と、装置収差情報データベース１３１に保持された装置収差情報を用いて、装置収差に起因するフォーカスオフセット（以降、パターンオフセットと呼称）が製品／工程／装置ごとに算出し、パターンオフセットデータサーバ１５１に保持する。またパターンオフセットデータサーバ１５１に保持された製品／工程／装置ごとのフォーカスオフセット情報は、パターンオフセットデータサーバ１５１からネットワーク００１を通して他の装置から読み出し／書き込みが出来る仕組みとなっている。
【００２５】
ここで、パターンオフセットの算出方法について図８を用いて説明する。計算はまず、データ読み込み工程８０２により各種計算条件８０３を読み込む。８０３の内容は先に説明した製品パターン条件、装置収差データと合わせて、シミュレーションパラメータ（変化させる条件）としてフォーカスの範囲とそのステップ量が含まれる。
【００２６】
条件が入力された後、光学像強度計算（光学シミュレーション、８０４）を行う。なお、上記の像強度計算についてはここでは詳しく述べないが、例えばＰｒｏｃｅｅｄｉｎｇｓ　ｏｆ　ＳＰＩＥ　ｖｏｌ．５３８（１９８５）のｐｐ２０７−２２０に示された”ＰＲＯＬＩＴＨ　：　ａ　ｃｏｍｐｒｅｈｅｎｓｉｖｅｏｐｔｉｃａｌ　ｌｉｔｈｏｇｒａｐｈｙ　ｍｏｄｅｌ”などに詳しい。光学像強度計算の結果（８０７）は、フォーカス条件、ならびに装置、製品、工程の識別データと関連付けられて出力される（８０８）。この計算を、先に８０３で設定したフォーカス条件の全てに関して、８０３で設定されたステップで変化させて繰り返し行う。
【００２７】
次に、８０８に出力された結果を用いて最適フォーカス位置を算出する。最適フォーカス位置は、光学像の像コントラストが最大となるフォーカス条件である。光学像強度のコントラストに付いては図９で説明する。図９で９０１はマスクパターン（遮光部）であり、９０２はその光学像である（横軸が位置、縦軸が光強度）。光学像９０２で最大の光強度をＩｍａｘ、最小の光強度をＩｍｉｎとしたとき、像コントラストは（Ｉｍａｘ−Ｉｍｉｎ）／（Ｉｍａｘ＋Ｉｍｉｎ）で表現される。フォーカス位置を変化させたとき、この像コントラストも変化し、コントラスト最大になるフォーカス位置を最適フォーカス位置とする（８１２）。
【００２８】
８１２で算出された最適フォーカス位置を計算の対象にした、製品／工程／装置でのパターンオフセットとして装置、製品、工程の識別データとともに出力される（８１５）。出力されたデータは、パターンオフセットデータベース１５１に保持される。
【００２９】
１４０は製品露光時の露光層の工程に対応するプロセスウエハによって生じる、該露光装置のフォーカスオフセット（以降、プロセスオフセットと呼称）を保持する、プロセスオフセットデータサーバであり、プロセスオフセットデータベース１４１に保持されたデータをネットワーク００１を通して他の装置から読み出し／書き込みが出来る仕組みとなっている。
【００３０】
プロセスオフセットに関しては図１０で説明する。プロセスウエハ１００２には工程に対応して金属膜、あるいは絶縁膜等が成膜（１００１）されており、これによりフォーカスセンサの検出オフセットが生じる場合がある。図１０に示した様に、フォーカスセンサの光源１０１１からの光が、本来であればウエハ最表面で反射して１４２１のような光路で受光素子に到達するはずが、成膜１００１により１４２０の様に変化した光路で受光素子１０１２に到達する場合がある。この時の光路のオフセット１４３１がプロセスオフセットである。
【００３１】
プロセスオフセットの評価は、プロセスウエハに、先に図２、３で説明したフォーカスオフセット評価用のパターンを露光することで行われる。その場合の露光結果を図１１に示す。図１１の横軸は露光装置のＺステージの位置（フォーカスセンサの読み値）であり、縦軸はそれぞれのフォーカス条件で露光した際のパターン間隔である。測定結果は１１０１であり、この時のパターン間隔が最小となる位置１０１２と、装置オフセット（ベアウエハに露光した場合）１０１１との差が、プロセスウエハに起因する露光装置のフォーカスセンサの誤差、すなわちプロセスオフセット（１０１３）である。なお、プロセスオフセットデータは露光装置の号機毎に持つ必要は無く、例えば露光装置の機種ごと（フォーカスセンサの形式の違いごと）に持てば良い。また、プロセス条件も製品／工程に対応する成膜条件ごとに持てば良い。
【００３２】
以上のように要因別に求められたデバイス製品露光時のフォーカスオフセット量は、図１の製品露光フォーカスオフセットサーバ１００で総合され、製品／工程／装置ごとの、製品露光時のフォーカスオフセットデータとして、製品露光フォーカス条件データベース１０１に保持される。製品露光フォーカスオフセットデータは例えば以下のようにして算出される。製品Ａの、工程Ｂを、露光装置Ｃで露光する場合の製品露光フォーカスオフセットは、
（１）露光装置Ｃの装置オフセットを、装置オフセットデータベース１１１から装置オフセットサーバ１４０を経て読出し。
（２）製品Ａの工程Ｂを露光装置Ｃで露光する際のパターンオフセットを、パターンオフセットデータベース１５１からパターンオフセットサーバ１５０を経て読出し。
（３）製品Ａの工程Ｂに対応する成膜条件での、露光装置Ｃの機種でのプロセスオフセットを、プロセスオフセットデータベース１４１からプロセスオフセットサーバ１４０を経て読出し。
（４）（１）〜（３）のデータの総和を製品Ａの、工程Ｂを、露光装置Ｃで露光する場合の製品露光フォーカスオフセットとする。
【００３３】
このようにして求められたフォーカス条件は、図１中の製品露光フォーカスオフセットサーバ１００により、露光装置のレシピに書きこまれる。図１では露光装置レシピサーバ１６０、装置レシピデータベース１６１を介して露光装置１７０にレシピを設定する例について示した。ここで、露光装置レシピデータベース１６１は生産ラインに存在する全ての露光装置のレシピを保持する手段であり、また露光装置レシピサーバ１６０は各露光装置のレシピの設定を行い、各装置へレシピを転送する手段である。製品露光フォーカスオフセットサーバ１００で求められた製品露光フォーカスオフセット量は、露光装置レシピサーバ１６０に送られ、各装置のレシピに書きこまれ、装置レシピデータベース１６１に保持され、露光装置レシピサーバ１６０により各露光装置に転送されるものである。さらに。なお、上記で説明した方法を取らずとも、製品露光フォーカスオフセットサーバ１００から直接露光装置１７０のレシピに書きこむ方法を取っても良い。
【００３４】
図１２は本発明の第２の実施例に関する、半導体デバイスの製造方法に関して説明する図である。フォーカス評価パターン（図２）の露光ステップ１２０１により、露光装置の装置オフセットを算出（１２０２）する。一方で設計情報から得られる製品パターンデータ（１２０３）と、露光装置の収差データ（１２０４）を読み込んで、フォーカス範囲とそのステップをシミュレーションパラメータとして光学シミュレーション１２０５で光学像強度を算出する。得られた光学像強度と、フォーカス位置の関係からコントラスト最大となるフォーカス位置を求め、これをパターンオフセットとする。さらにまた、プロセスウエハに対するフォーカス評価パターンの露光１２０７により、プロセスオフセットを算出（１２０８）する。
【００３５】
上記１２０２で求められた装置オフセット、１２０６で求められたパターンオフセット、１２０８で求められたプロセスオフセットから、ある製品／工程をある露光装置で製品露光を行う際のフォーカスオフセットの算出（ステップ１２０９）を行い、得られた結果を露光装置のレシピに設定する（ステップ１２１０）。設定されたレシピを元に露光を実行する（ステップ１２１１）。
【００３６】
【発明の効果】
以上の実施例で示したとおり、本発明は製品露光におけるフォーカスオフセットを、（１）露光装置の投影光学系の焦点位置とフォーカスセンサのオフセット（装置起因オフセット）（２）デバイス製品の露光層のパターン条件と、露光装置の投影光学系の収差とから決まるフォーカスオフセット（パターン起因オフセット）（３）デバイス製品の露光層に対応するプロセスウエハによって生じる、該露光装置のフォーカスオフセット（プロセス起因オフセット）として原因別にそれぞれ算出し、それらを元に求められた製品露光時の最適フォーカス位置を露光装置のレシピに設定して、露光を実施するものである。
【００３７】
これにより、デバイス製品毎／露光層毎／露光装置毎に、実際の製品レチクルを用いて行う条件出し露光が不要となり、半導体デバイス製造におけるＴＡＴ短縮、ならびに半導体デバイス製造ラインでの露光装置の稼動効率を向上を図ることが可能となる。
【図面の簡単な説明】
【図１】本発明の第１の実施例に関して説明する図。
【図２】フォーカスオフセット評価パターンについて説明する図。
【図３】フォーカスオフセットの評価方法について説明する図。
【図４】パターン条件に関して説明する図。
【図５】露光装置の構成に関して説明する図。
【図６】波面収差の関数展開について説明する図。
【図７】装置収差情報データベースに保持されるデータに関して説明する図。
【図８】パターンオフセットの算出方法について説明する図。
【図９】光学像コントラストに関して説明する図。
【図１０】プロセスオフセットの生じる原因について説明する図。
【図１１】プロセスオフセットの評価方法について説明する図
【図１２】本発明の第２の実施例に関して説明する図。
【図１３】本発明に係る従来方法に関して説明する図。
【図１４】露光装置のフォーカスセンサについて説明する図。
【図１５】露光装置のオフセットについて説明する図。
【符号の説明】
１００…製品露光フォーカス条件サーバ、１１０…装置オフセット情報サーバ、１２０…製品パターン情報サーバ、１３０…装置収差情報サーバ、１４０…プロセスオフセット情報サーバ、１５０…パターンオフセット算出サーバ、１６０…装置レシピサーバ、１７０…露光装置、２０１…フォーカスオフセット評価パターン、４０１〜４０５…機能ブロック、５０１…照明光源、５０２…照明光学系、５０３…レチクル、５０４…投影光学系、５０５…半導体ウエハ、５０６…ステージ、６００…波面収差、７１０…ショットエリア、７１１〜７１９…収差測定点。
【図１】
2004022848.tif 000004
【図２】
2004022848.tif 000005
【図３】
2004022848.tif 000006
【図４】
2004022848.tif 000007
【図５】
2004022848.tif 000008
【図６】
2004022848.tif 000009
【図７】
2004022848.tif 000010
【図８】
2004022848.tif 000011
【図９】
2004022848.tif 000012
【図１０】
2004022848.tif 000013
【図１１】
2004022848.tif 000014
【図１２】
2004022848.tif 000015
【図１３】
2004022848.tif 000016
【図１４】
2004022848.tif 000017
【図１５】
2004022848.tif 000018